【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
レアアース及びレアアースの無機化合物を含むレアアース材料に対する結合能を有するペプチドを含む、レアアース材料結合剤。
【請求項２】
前記ペプチドは、１又は２以上の酸性アミノ酸残基を含む、請求項１に記載の結合剤。
【請求項３】
前記ペプチドは、２以上の酸性アミノ酸残基を含む、請求項２に記載の結合剤。
【請求項４】
前記アミノ酸残基は、グルタミン酸及びアスパラギン酸から選択される、請求項２又は３に記載の結合剤。
【請求項５】
前記ペプチドは、アミノ酸残基数が１０個以下２０個以下のペプチドである、請求項１〜４のいずれかに記載の結合剤。
【請求項６】
前記ペプチドは、環状ペプチドである、請求項１〜５のいずれかに記載の結合剤。
【請求項７】
前記ペプチドは、以下の（１）及び（２）のいずれかからなるアミノ酸配列を有する、請求項１〜６のいずれかに記載の結合剤。
（１）-X1-X2- X3-A1- X4-X5-A2-X6-A3-X7-X8−（配列番号１）
（ただし、A1は酸性アミノ酸、チロシン、アラニン、メチオニン又はグリシンであり、A2は、酸性アミノ酸又はロイシンであり、A3は、酸性アミノ酸、グリシン、プロリン、グルタミン又はアラニンであり、X1は、ロイシン、イソロイシン、バリン又はスレオニンであり、X2は、トリプトファン、システィン、アスパラギン酸、グリシン、又はバリンでありX3は、グリシン、イソロイシン、システィン、セリン、アルギニンであり、X4は、バリン、セリン、アルギニン、メチオニン、フェニルアラニン又はロイシンであり、X5はセリン、ロイシン、アルギニン、グリシン、システィン、アスパラギン又はリジンであり、X6は、ロイシン、リジン、バリンセリン又はグリシンであり、X7は、フェニルアラニン、グリシン、ロイシン、トレオニン、イソロイシン、バリン、トリプトファン又はヒスチジンであり、X8は、ロイシン、バリン、スレオニン、セリン、アスパラギン、フェニルアラニン、グルタミン酸であり、少なくとも1つの酸性アミノ酸を有する。）
（２）-X11-X12-X13-X14-X15- X16-A4-X17-X18-X19-（配列番号２）
（ただし、A4は、酸性アミノ酸であり、X11は、ロイシン、トレオニン、グルタミン酸、イソロイシン、バリン、フェニルアラニン、システイン又はチロシンであり、X12は、チロシン、アスパラギン酸、アスパラギン、グルタミン酸、アルギニン、フェニルアラニン又はバリンであり、X13は、プロリン、セリン、グリシン、ロイシン、アラニン、トレオニン、バリン又はフェニルアラニンであり、X14は、セリン、グルタミン酸、アルギニン又はイソロイシンであり、X15は、トリプトファン、アラニン、グリシン、システィン、メチオニン又はチロシンであり、X16は、セリン、グリシン、トレオニン、アラニン、アルギニン又はシステインであり、X17はチロシン、システィン、セリン、イソロイシン、アスパラギン酸、セリン、グリシニン、リジン又はヒスチジンであり、X18は、アラニン、グリシン、トレオニン、プロリン、システィン又はセリンであり、X19は、フェニルアラニン、アルギニン、バリン、ロイシン、システィン、アラニン又はセリンである。）
【請求項８】
前記ペプチドは、以下のいずれかからなるアミノ酸配列を有する、請求項７に記載の結合剤。
LeuTrpGlyAspValSerGluLeuAspPheLeu
LeuTrpIleGluSerLeuAspLeuAspGlyLeu
LeuCysCysGluValSerAspLeuGlyLeuVal
ValCysIleGluArgArgGluLeuAspLeuLeu
IleAspSerTyrValGlyGluLeuGluThrLeu
LeuTrpArgAlaValCysAspLeuGlyIleGlu
LeuGlyGlyAspMetSerAspLysProValSer
ThrCysGlyMetValAsnAspValAspLeuThr
IleValGlyGluValArgLeuSerAspLeuVal
ThrCysGlyMetValAsnAspValAspLeuThr
ValTrpArgGlyPheLysAspGlyGlnTrpPhe
ValCysArgGlyLeuArgAspLeuAlaHisAsn
【請求項９】
前記ペプチドは、以下のいずれかからなるアミノ酸配列を有する、請求項７に記載の結合剤。
LeuTyrProSerTrpSerAspTyrAlaPhe
ThrAspProSerTrpGlyGluTyrGlyPhe
GluTyrSerSerAlaSerGluTyrAlaArg
IleTyrGlyGluTrpArgAspTyrAlaPhe
ValTyrLeuSerGlySerGluCysThrPhe
LeuAsnAlaArgTrpSerAspSerProVal
LeuAsnThrIleTrpAlaAspTyrGlyLeu
LysAspValSerTrpGlyAspIleAlaCys
PheGluPheSerTrpSerGluAspCysAla
GluArgGlySerTrpCysGluAspAlaCys
ValTyrThrGlyTrpArgGluAspAlaSer
CysPheAlaSerCysThrAspSerAlaLeu
ThrArgSerArgCysGlyAspGlyAlaPhe
TyrValAlaIleMetSerGluLysSerPhe
IleGluAlaArgTyrThrAspHisAlaLeu
【請求項１０】
Leu-Trp-Gly-Asp/Glu-Val-Ser/Asn-Asp/Glu-Leu/Val-Asp/Glu-Phe/Leu-Leuで表されるアミノ酸配列を有する、請求項７に記載の結合剤。
【請求項１１】
Leu-Tyr-Pro/Ala-Ser/Arg-Trp-Ser/Gly/Thr/Arg-Asp/Glu-Tyr/Asp-Ala/Gly-Phe/Leuで表されるアミノ酸配列を有する、請求項７に記載の結合剤。
【請求項１２】
前記レアアースは、ランタン（La）、セリウム（Ce）、ネオジム（Nd）、サマリウム（Sm）、ガドリニウム（Gd）、テルビウム（Tb）、ジスプロシウム（Dy）、ホルミニウム（Ho）及びエルビウム（Er）からなる群から選択される１種又は２種以上である、請求項１〜１１のいずれかに記載の結合剤。
【請求項１３】
前記レアアースはジスプロシウムであり、ジスプロシウムイオン及びジスプロシウム酸化物に結合する、請求項１〜１２のいずれかに記載の結合剤。
【請求項１４】
前記ペプチドは標識物質を備える、請求項１〜１３のいずれかに記載の結合剤。
【請求項１５】
以下の（１）又は（２）に記載のアミノ酸配列を有するペプチド。
（１）-X1-X2- X3-A1- X4-X5-A2-X6-A3-X7-X8−（配列番号１）
（ただし、A1は酸性アミノ酸、チロシン、アラニン、メチオニン又はグリシンであり、A2は、酸性アミノ酸又はロイシンであり、A3は、酸性アミノ酸、グリシン、プロリン、グルタミン又はアラニンであり、X1は、ロイシン、イソロイシン、バリン又はスレオニンであり、X2は、トリプトファン、システィン、アスパラギン酸、グリシン、又はバリンでありX3は、グリシン、イソロイシン、システィン、セリン、アルギニンであり、X4は、バリン、セリン、アルギニン、メチオニン、フェニルアラニン又はロイシンであり、X5はセリン、ロイシン、アルギニン、グリシン、システィン、アスパラギン又はリジンであり、X6は、ロイシン、リジン、バリンセリン又はグリシンであり、X7は、フェニルアラニン、グリシン、ロイシン、トレオニン、イソロイシン、バリン、トリプトファン又はヒスチジンであり、X8は、ロイシン、バリン、スレオニン、セリン、アスパラギン、フェニルアラニン、グルタミン酸であり、少なくとも1つの酸性アミノ酸を有する。）
（２）-X11-X12-X13-X14-X15- X16-A4-X17-X18-X19-（配列番号２）
（ただし、A4は、酸性アミノ酸であり、X11は、ロイシン、トレオニン、グルタミン酸、イソロイシン、バリン、フェニルアラニン、システイン又はチロシンであり、X12は、チロシン、アスパラギン酸、アスパラギン、グルタミン酸、アルギニン、フェニルアラニン又はバリンであり、X13は、プロリン、セリン、グリシン、ロイシン、アラニン、トレオニン、バリン又はフェニルアラニンであり、X14は、セリン、グルタミン酸、アルギニン又はイソロイシンであり、X15は、トリプトファン、アラニン、グリシン、システィン、メチオニン又はチロシンであり、X16は、セリン、グリシン、トレオニン、アラニン、アルギニン又はシステインであり、X17はチロシン、システィン、セリン、イソロイシン、アスパラギン酸、セリン、グリシニン、リジン又はヒスチジンであり、X18は、アラニン、グリシン、トレオニン、プロリン、システィン又はセリンであり、X19は、フェニルアラニン、アルギニン、バリン、ロイシン、システィン、アラニン又はセリンである。）
【請求項１６】
Leu-Trp-Gly-Asp/Glu-Val-Ser/Asn-Asp/Glu-Leu/Val-Asp/Glu-Phe/Leu-Leuで表されるアミノ酸配列を有する、請求項１５に記載のペプチド。
【請求項１７】
Leu-Tyr-Pro/Ala-Ser/Arg-Trp-Ser/Gly/Thr/Arg-Asp/Glu-Tyr/Asp-Ala/Gly-Phe/Leuで表されるアミノ酸配列を有する、請求項１５に記載のペプチド。
【請求項１８】
レアアース及びレアアースの無機化合物を含むレアアース材料に対する結合能を有するペプチドと、前記レアアース材料との複合体。
【請求項１９】
レアアース及びレアアースの無機化合物を含むレアアース材料に対する結合能を有するペプチドと、前記レアアース材料とを接触させてこれらの複合体を形成する工程、
を備える、複合体の製造方法。
【請求項２０】
レアアース及びレアアースの無機化合物を含むレアアース材料に対する結合能を有するペプチドと、前記レアアース材料とを接触させてこれらの複合体を形成する工程、
前記複合体を回収する工程と、
を備える、レアアース又はその無機化合物の回収方法。
【請求項２１】
レアアース及びレアアースの無機化合物を含むレアアース材料に対する結合能を有するペプチドと、前記レアアース材料とを接触させてこれらの複合体を形成する工程、
前記複合体を検出する工程と、
を備える、レアアース又はその無機化合物の検出方法。
【請求項２２】
レアアース又はレアアースの無機化合物を含むレアアース材料に対して結合能を有するペプチドのスクリーニング方法であって、
１又は２以上のレアアース材料と１又は２以上の被験ペプチドとを接触させて、前記１又は２以上の被験ペプチドの前記１又は２以上のレアアース材料に対する結合能を評価する工程、
を備える、方法。
【請求項２３】
レアアース含有無機化合物の製造方法であって、
液性媒体中、レアアース及びレアアースの無機化合物を含むレアアース材料に対する結合能を有するペプチドの存在下で、前記レアアース含有無機化合物の原料となるレアアースイオンと前記レアアース含有無機化合物の他の原料とを接触させて前記レアアース含有無機化合物を生成させる工程、を備える、製造方法。